(57)【特許請求の範囲】
【請求項１】
所定の帯域において、第１の帯域幅をもつｎ（ｎは整数）個のチャネルである第１のチャネルグループと、
前記所定の帯域において、前記第１のチャネルグループのうちの連続する２つのチャネルであって、重複しないチャネルを組み合わせたｍ（ｍは整数であり、ｎより小さい値）個のチャネルである第２のチャネルグループと、
前記所定の帯域において、前記第１のチャネルグループのうちの連続する３つのチャネルであって、重複しないチャネルを組み合わせたｐ（ｐは整数であり、ｍより小さい値）個のチャネルである第３のチャネルグループと、
のうちの１つ以上のチャネルグループから選択されるチャネルが割り当てられたｒ（ｒは１以上の整数）個のキャリアに関するヘッダ情報をそれぞれ変調する第１から第ｒの変調回路と、
前記変調されたヘッダ情報をそれぞれ送信する第１から第ｒの送信回路と、
を含み、
前記ヘッダ情報は、
前記第１のチャネルグループのチャネル割り当てを示すｎ個のビットと、
前記第２のチャネルグループのチャネル割り当てを示すｍ個のビットと、
を含み、
前記第３のチャネルグループのチャネル割り当ては、
前記ｎ個のビットと前記ｍ個のビットとを組み合わせて示される、
送信装置。
【請求項２】
前記第１のチャネルグループのチャネル割り当ては、前記ｎ個のビットのうち、１ビットを用いて１つのチャネルを割り当て、
前記第２のチャネルグループのチャネル割り当ては、前記ｍ個のビットのうち、１ビットを用いて１つのチャネルを割り当てる、
請求項１に記載の送信装置。
【請求項３】
前記第３のチャネルグループのそれぞれのチャネルは、
前記ｎ個のビットのうち、前記第３のチャネルグループのそれぞれのチャネルの帯域と重複する前記第１のチャネルグループのチャネルに割り当てられたビットと、
前記ｍ個のビットのうち、前記第３のチャネルグループのそれぞれのチャネルの帯域と重複する前記第２のチャネルグループのチャネルに割り当てられたビットと、
が割り当てられる、
請求項２に記載の送信装置。
【請求項４】
前記第３のチャネルグループのそれぞれのチャネルに割り当てられたビットが示す、前記第２のチャネルグループのチャネルの帯域と前記第１のチャネルグループのチャネルの帯域とは、重複する帯域を含む、
請求項３に記載の送信装置。
【請求項５】
前記ヘッダ情報は、
前記所定の帯域において、前記第１のチャネルグループのうちの連続する４つのチャネルであって、重複しないチャネルを組み合わせたｑ（ｑは整数であり、ｍより小さい値）個のチャネルである第４のチャネルグループの前記ｒ個のキャリアへの割り当てを含み、
前記第４のチャネルグループのチャネル割り当ては、
前記ｎ個のビットと前記ｍ個のビットとを組み合わせて示される、
請求項１記載の送信装置。
【請求項６】
前記送信回路は、
前記ヘッダ情報を、各キャリアに割り当てた前記第２及び前記第３のチャネルグループのチャネルと帯域が重複する前記第１のチャネルグループのチャネルによって、送信する、
請求項１記載の送信装置。
【請求項７】
第１から第ｒ（ｒは１以上の整数）信号をそれぞれ受信する第１から第ｒの受信回路と、
前記第１から第ｒ信号のいずれか１つからヘッダ情報を復号する復号回路と、
前記ヘッダ情報を用いて、前記第１から第ｒの受信回路で使用するチャネルを制御する制御回路と、
前記チャネル制御された前記第１から第ｒの受信回路から出力された前記第１から第ｒ信号を復号してペイロードを出力するペイロード復号回路と、
を含み、
前記第１から第ｒ信号は、
所定の帯域において、第１の帯域幅をもつｎ（ｎは整数）個のチャネルの第１のチャネルグループと、
前記所定の帯域において、前記第１のチャネルグループのうちの連続する２つのチャネルであって、重複しないチャネルを組み合わせたｍ（ｍは整数であり、ｎより小さい値）個のチャネルである第２のチャネルグループと、
前記所定の帯域において、前記第１のチャネルグループのうちの連続する３つのチャネルであって、重複しないチャネルを組み合わせたｐ（ｐは整数であり、ｍより小さい値）個のチャネルである第３のチャネルグループと、
のうちの１つ以上のチャネルグループから選択されるチャネルがそれぞれ割り当てられ、
前記ヘッダ情報は、
前記第１のチャネルグループのチャネル割り当てを示すｎ個のビットと、
前記第２のチャネルグループのチャネル割り当てを示すｍ個のビットと、
を含み、
前記第３のチャネルグループのチャネル割り当ては、
前記ｎ個のビットと前記ｍ個のビットとを組み合わせて示される、
受信装置。
【請求項８】
前記第１のチャネルグループのチャネル割り当ては、前記ｎ個のビットのうち、１ビットを用いて１つのチャネルを割り当て、
前記第２のチャネルグループのチャネル割り当ては、前記ｍ個のビットのうち、１ビットを用いて１つのチャネルを割り当てる、
請求項７に記載の受信装置。
【請求項９】
前記第３のチャネルグループのそれぞれのチャネルは、
前記ｎ個のビットのうち、前記第３のチャネルグループのそれぞれのチャネルの帯域と重複する前記第１のチャネルグループのチャネルに割り当てられたビットと、
前記ｍ個のビットのうち、前記第３のチャネルグループのそれぞれのチャネルの帯域と重複する前記第２のチャネルグループのチャネルに割り当てられたビットと、
が割り当てられる、
請求項８に記載の受信装置。
【請求項１０】
前記第３のチャネルグループのそれぞれのチャネルに割り当てられたビットが示す、前記第２のチャネルグループのチャネルの帯域と前記第１のチャネルグループのチャネルの帯域とは、重複する帯域を含む、
請求項８に記載の受信装置。
【請求項１１】
前記第１から第ｒの受信回路は、
割り当てられたチャネルグループのチャネルと帯域が重複する前記第１のチャネルグループのチャネルのそれぞれにおいて、前記ヘッダ情報を、受信する、
請求項７記載の受信装置。
【請求項１２】
所定の帯域において、第１の帯域幅をもつｎ（ｎは整数）個のチャネルである第１のチャネルグループと、
前記所定の帯域において、前記第１のチャネルグループのうちの連続する２つのチャネルであって、重複しないチャネルを組み合わせたｍ（ｍは整数であり、ｎより小さい値）個のチャネルである第２のチャネルグループと、
前記所定の帯域において、前記第１のチャネルグループのうちの連続する３つのチャネルであって、重複しないチャネルを組み合わせたｐ（ｐは整数であり、ｍより小さい値）個のチャネルである第３のチャネルグループと、
のうちの１つ以上のチャネルグループから選択されるチャネルが割り当てられたｒ（ｒは１以上の整数）個のキャリアに関するヘッダ情報のそれぞれを、第１から第ｒの変調回路によって変調し、
前記変調されたヘッダ情報のそれぞれを、第１から第ｒの送信回路によって送信し、
前記ヘッダ情報は、
前記第１のチャネルグループのチャネル割り当てを示すｎ個のビットと、
前記第２のチャネルグループのチャネル割り当てを示すｍ個のビットと、
を含み、
前記第３のチャネルグループのチャネル割り当ては、
前記ｎ個のビットと前記ｍ個のビットとを組み合わせて示される、
送信方法。
【請求項１３】
第１から第ｒ（ｒは１以上の整数）信号のそれぞれを、第１から第ｒの受信回路によって、受信し、
前記第１から第ｒ信号のいずれか１つからヘッダ情報を復号し、
前記ヘッダ情報を用いて、前記第１から第ｒの受信回路で使用するチャネルを制御し、
前記チャネル制御された前記第１から前記第ｒの受信回路から出力された前記第１から第ｒ信号を復号してペイロードを出力し、
前記第１から第ｒ信号は、
所定の帯域において、第１の帯域幅をもつｎ（ｎは整数）個のチャネルの第１のチャネルグループと、
前記所定の帯域において、前記第１のチャネルグループのうちの連続する２つのチャネルであって、重複しないチャネルを組み合わせたｍ（ｍは整数であり、ｎより小さい値）個のチャネルである第２のチャネルグループと、
前記所定の帯域において、前記第１のチャネルグループのうちの連続する３つのチャネルであって、重複しないチャネルを組み合わせたｐ（ｐは整数であり、ｍより小さい値）個のチャネルである第３のチャネルグループと、
のうちの１つ以上のチャネルグループから選択されるチャネルがそれぞれ割り当てられ、
前記ヘッダ情報は、
前記第１のチャネルグループのチャネル割り当てを示すｎ個のビットと、
前記第２のチャネルグループのチャネル割り当てを示すｍ個のビットと、
を含み、
前記第３のチャネルグループのチャネル割り当ては、
前記ｎ個のビットと前記ｍ個のビットとを組み合わせて示される、
受信方法。
【発明の詳細な説明】
【技術分野】
【０００１】
本開示は、ミリ波通信を用いた送信装置、受信装置、送信方法及び受信方法に関する。
【背景技術】
【０００２】
IEEE 802.11は、無線ＬＡＮ関連規格の一つである。IEEE 802.11には、IEEE802.11ac規格（以下、「11ac規格」という）や、IEEE802.11ad規格（以下、「11ad規格」という）等がある（例えば、非特許文献１，２を参照）。
【０００３】
11ac規格は、2.4GHzと5GHzに互換性を持ち、MAC層において100Mbpsを上回る高スループットを実現する。11n規格では、二次変調方式として、ＯＦＤＭ（Orthogonal Frequency Division Multiplexing）伝送が規定されている。
【０００４】
また、11ac規格には、ピークスループットを高めるため、20MHzの帯域幅を持つ２つ以上の隣り合うチャネルに渡り、40MHz 〜 160MHzの帯域幅でデータフィールド（Payload）を配置してデータを送信するチャネルボンディング(CB)が導入されている。なお、11ac規格では、プリアンブル部分（L-STF, L-LTF, L-SIG, HT-SIG を含む）については、チャネルボンディングに対応していない端末においても受信することができるように、チャネル毎に配置される。
【０００５】
11ad規格は、60GHz帯ミリ波の複数のチャネルを用いて、最大7Gbpsの高速通信を実現する。11ad規格では、二次変調方式として、シングルキャリア伝送とＯＦＤＭ伝送がそれぞれ規定されている。また、11ad規格に比べ更にピークスループットを高めるための手段として、チャネルボンディングの他に、チャネルアグリゲーション(CA)を用いた通信規格が提案されている。チャネルアグリゲーションは、キャリアアグリゲーションと呼ばれることがある。
【先行技術文献】
【非特許文献】
【０００６】
【非特許文献１】IEEE Std 802.11acTM-2013
【非特許文献２】IEEE Std 802.11adTM -2012
【非特許文献３】IEEE802.11-16/0105-r00
【発明の概要】
【発明が解決しようとする課題】
【０００７】
しかしながら、従来は、異なる帯域のボンディングチャネルを通知することは困難であるため、周波数の利用効率を高めることが困難である。また、サンプリングレートが低いD/A,A/Dを用いて高いスループットを実現することは困難である。
【０００８】
本開示の一態様は、異なる帯域のボンディングチャネルを通知することができるので、周波数の利用効率を高めることができる送信装置、受信装置、送信方法及び受信方法の提供に資する。
【課題を解決するための手段】
【０００９】
本開示の一態様に係る送信装置は、所定の帯域において、第１の帯域幅をもつｎ（ｎは整数）個のチャネルである第１のチャネルグループと、前記所定の帯域において、前記第１のチャネルグループのうちの連続する２つのチャネルであって、重複しないチャネルを組み合わせたｍ（ｍは整数であり、ｎより小さい値）個のチャネルである第２のチャネルグループと、前記所定の帯域において、前記第１のチャネルグループのうちの連続する３つのチャネルであって、重複しないチャネルを組み合わせたｐ（ｐは整数であり、ｍより小さい値）個のチャネルである第３のチャネルグループと、のうちの１つ以上が割り当てられたｒ（ｒは１以上の整数）個のキャリアに関するヘッダ情報をそれぞれ変調する第１から第ｒの変調回路と、前記変調されたヘッダ情報をそれぞれ送信する第１から第ｒの送信回路と、を含み、前記ヘッダ情報は、前記第１のチャネルグループのチャネル割り当てを示すｎ個のビットと、前記第２のチャネルグループのチャネル割り当てを示すｍ個のビットと、を含み、前記第３のチャネルグループのチャネル割り当ては、前記ｎ個のビットと前記ｍ個のビットとを組み合わせて示される。
【００１０】
本開示の一態様に係る受信装置は、第１から第ｒ（ｒは１以上の整数）信号をそれぞれ受信する第１から第ｒの受信回路と、前記第１から第ｒ信号のいずれか１つからヘッダ情報を復号する復号回路と、前記ヘッダ情報を用いて、前記第１から第ｒの受信回路で使用するチャネルを制御する制御回路と、前記チャネル制御された前記第１から第ｒの受信回路から出力された前記第１から第ｒ信号を復号してペイロードを出力するペイロード復号回路と、を含み、前記第１から第ｒ信号は、所定の帯域において、第１の帯域幅をもつｎ（ｎは整数）個のチャネルの第１のチャネルグループと、前記所定の帯域において、前記第１のチャネルグループのうちの連続する２つのチャネルであって、重複しないチャネルを組み合わせたｍ（ｍは整数であり、ｎより小さい値）個のチャネルである第２のチャネルグループと、前記所定の帯域において、前記第１のチャネルグループのうちの連続する３つのチャネルであって、重複しないチャネルを組み合わせたｐ（ｐは整数であり、ｍより小さい値）個のチャネルである第３のチャネルグループと、のうちの１つ以上がそれぞれ割り当てられ、前記ヘッダ情報は、前記第１のチャネルグループのチャネル割り当てを示すｎ個のビットと、前記第２のチャネルグループのチャネル割り当てを示すｍ個のビットと、を含み、前記第３のチャネルグループのチャネル割り当ては、前記ｎ個のビットと前記ｍ個のビットとを組み合わせて示される。
【００１１】
本開示の一態様に係る送信方法は、所定の帯域において、第１の帯域幅をもつｎ（ｎは整数）個のチャネルである第１のチャネルグループと、前記所定の帯域において、前記第１のチャネルグループのうちの連続する２つのチャネルであって、重複しないチャネルを組み合わせたｍ（ｍは整数であり、ｎより小さい値）個のチャネルである第２のチャネルグループと、前記所定の帯域において、前記第１のチャネルグループのうちの連続する３つのチャネルであって、重複しないチャネルを組み合わせたｐ（ｐは整数であり、ｍより小さい値）個のチャネルである第３のチャネルグループと、のうちの１つ以上が割り当てられたｒ（ｒは１以上の整数）個のキャリアに関するヘッダ情報のそれぞれを、第１から第ｒの変調回路によって変調し、前記変調されたヘッダ情報のそれぞれを、第１から第ｒの送信回路によって送信し、前記ヘッダ情報は、前記第１のチャネルグループのチャネル割り当てを示すｎ個のビットと、前記第２のチャネルグループのチャネル割り当てを示すｍ個のビットと、を含み、前記第３のチャネルグループのチャネル割り当ては、前記ｎ個のビットと前記ｍ個のビットとを組み合わせて示される。
【００１２】
本開示の一態様に係る受信方法は、第１から第ｒ（ｒは１以上の整数）信号のそれぞれを、第１から第ｒの受信回路によって、受信し、前記第１から第ｒ信号のいずれか１つからヘッダ情報を復号し、前記ヘッダ情報を用いて、前記第１から第ｒの受信回路で使用するチャネルを制御し、前記チャネル制御された前記第１から前記第ｒの受信回路から出力された前記第１から第ｒ信号を復号してペイロードを出力し、前記第１から第ｒ信号は、所定の帯域において、第１の帯域幅をもつｎ（ｎは整数）個のチャネルの第１のチャネルグループと、前記所定の帯域において、前記第１のチャネルグループのうちの連続する２つのチャネルであって、重複しないチャネルを組み合わせたｍ（ｍは整数であり、ｎより小さい値）個のチャネルである第２のチャネルグループと、前記所定の帯域において、前記第１のチャネルグループのうちの連続する３つのチャネルであって、重複しないチャネルを組み合わせたｐ（ｐは整数であり、ｍより小さい値）個のチャネルである第３のチャネルグループと、のうちの１つ以上がそれぞれ割り当てられ、前記ヘッダ情報は、前記第１のチャネルグループのチャネル割り当てを示すｎ個のビットと、前記第２のチャネルグループのチャネル割り当てを示すｍ個のビットと、を含み、前記第３のチャネルグループのチャネル割り当ては、前記ｎ個のビットと前記ｍ個のビットとを組み合わせて示される。
【００１３】
なお、これらの包括的又は具体的な態様は、システム、装置、方法、集積回路、コンピュータプログラム又は記録媒体で実現されてもよく、システム、装置、方法、集積回路、コンピュータプログラムおよび記録媒体の任意な組み合わせで実現されてもよい。
【発明の効果】
【００１４】
本開示の一態様によれば、異なる帯域のボンディングチャネルを通知することができるので、周波数の利用効率を高めることができる。また、サンプリングレートが低いD/A,A/Dを用いて高いスループットを実現することができる。
【００１５】
また、少ないビット数で、キャリア数の制限無くチャネルの組み合わせを通知することができる。
【００１６】
本開示の一態様における更なる利点および効果は、明細書および図面から明らかにされる。かかる利点および／又は効果は、いくつかの実施形態並びに明細書および図面に記載された特徴によってそれぞれ提供されるが、１つ又はそれ以上の同一の特徴を得るために必ずしも全てが提供される必要はない。
【図面の簡単な説明】
【００１７】
【図１】チャネルアグリゲーションを行う送信装置の構成を示す図
【図２】チャネルアグリゲーションを行う受信装置の構成を示す図
【図３】チャネライゼーションを示す図
【図４】Channel setの例を示す図
【図５Ａ】送信装置を用いて行うチャネルアグリゲーションの例を示す図
【図５Ｂ】送信装置を用いて行うチャネルアグリゲーションの例を示す図
【図５Ｃ】送信装置を用いて行うチャネルアグリゲーションの例を示す図
【図５Ｄ】送信装置を用いて行うチャネルアグリゲーションの例を示す図
【図６Ａ】チャネルアグリゲーションフレームのフォーマットを示す図
【図６Ｂ】チャネルアグリゲーションフレームのフォーマットを示す図
【図６Ｃ】チャネルアグリゲーションフレームのフォーマットを示す図
【図６Ｄ】チャネルアグリゲーションフレームのフォーマットを示す図
【図７Ａ】送信装置が受信装置に対してチャネル選択情報を通知する方法を説明する図
【図７Ｂ】送信装置が受信装置に対してチャネル選択情報を通知する方法を説明する図
【図８】フォーマット１の情報を示す図
【図９】フォーマット２の情報を示す図
【図１０Ａ】各チャネルのインデックス値及びビットマップ値を示す図
【図１０Ｂ】各チャネルのインデックス値及びビットマップ値を示す図
【図１１Ａ】各チャネルのインデックス値及びビットマップ値を示す図
【図１１Ｂ】各チャネルのインデックス値及びビットマップ値を示す図
【図１２】チャネライゼーションを示す図（ch30の例）
【図１３Ａ】各チャネルのインデックス値及びビットマップ値を示す図
【図１３Ｂ】各チャネルのインデックス値及びビットマップ値を示す図
【図１４】フォーマット４の情報を示す図
【図１５Ａ】フォーマット５の情報を示す図
【図１５Ｂ】BW indexフィールドの値と、第１キャリアから第４キャリアまでのチャネル帯域幅及びキャリア数との関係を示す図
【図１６】BW indexが8のときのチャネルの組み合わせを示す図
【図１７】フォーマット６の情報を示す図
【図１８】チャネルアグリゲーションを行う送信装置の別の構成を示す図
【図１９】チャネルアグリゲーションを行う受信装置の別の構成を示す図
【図２０Ａ】ヘッダフォーマットの例を示す図
【図２０Ｂ】ヘッダフォーマットの例を示す図
【図２１Ａ】ヘッダフォーマットの例を示す図
【図２１Ｂ】ヘッダフォーマットの例を示す図
【発明を実施するための形態】
【００１８】
以下、図面を適宜参照して、本開示の一実施の形態について詳細に説明する。
【００１９】
＜送信装置の構成＞
図１は、チャネルアグリゲーションを行う送信装置１００の構成を示す図である。送信装置１００は、図示しない上位レイヤ処理部(例えばMACレイヤ)にてPHY制御データとペイロードデータを生成する。
【００２０】
RF制御部１１０は、PHY制御データに基づき、第１〜第４キャリアで使用するチャネルの中心周波数（キャリア周波数と呼ぶことがある）、及び、チャネルの帯域幅を決定し、中心周波数とチャネルの帯域幅の組み合わせの情報を変調部１０４ａ〜１０４ｄ、広帯域D/A１０５ａ〜１０５ｄ、広帯域RF１０６ａ〜１０６ｄへ通知する。なお、RF制御部１１０は、チャネルの中心周波数とチャネルの帯域幅の組み合わせの情報を、チャネル番号として通知しても良い。
【００２１】
ヘッダ符号化部１０１は、PHY制御データに対しビットスクランブル及びLDPC符号化を行い、L-Header及びEDMG-Headerデータを生成する。生成されたデータは、変調部１０４ａ〜１０４ｄにそれぞれ同一のデータとして転送される。
【００２２】
ペイロード符号化部１０２は、ペイロードデータのビットスクランブル及びLDPC符号化を行う。ペイロードデータ分割部１０３は、符号化されたペイロードデータを最大４つに分割し、変調部１０４ａ〜１０４ｄへ転送する。以下、分割数を、キャリア数と呼ぶ。
【００２３】
変調部１０４ａは、第１キャリアのデータの変調を行う。変調部１０４ａは、まず、ヘッダ符号化部１０１が出力したL-Header及びE-Headerの符号化を行う。変調方式として、π/2-BPSKを用いてもよい。また、変調部１０４ａは、RF制御部１１０から通知されるチャネルの帯域幅に応じ、L-Header及びE-Headerのデータを複製し、複数のチャネルに配置する。なお、変調部１０４ａが行う処理の詳細については、フレームフォーマットの説明とともに後述する。
【００２４】
また、変調部１０４ａは、ペイロードデータ分割部１０３が分割したペイロードデータの１つに対して変調を行う。分割されたペイロードデータを第１キャリアのデータと呼ぶ。変調部１０４ａは、データ変調方式として、π/2-BPSK、π/2-QPSK、π/2-16QAM、π/2-64QAMを用いても良い。変調部１０４ａは、データ変調後のシンボルをシングルキャリアで伝送してもよく、また、データ変調後のシンボルをOFDMで伝送しても良い。
【００２５】
広帯域D/A１０５ａ、広帯域RF１０６ａ、アンテナ１０７ａは、第１キャリアのデータを、RF制御部１１０が指定する第１のキャリア周波数及びチャネル帯域幅により送信する。なお、RF制御部１１０は、チャネル帯域幅の代わりに広帯域D/Aのサンプリングレートを指定しても良い。
【００２６】
変調部１０４ｂは、第２キャリアのデータの変調を行う。まず、ヘッダ符号化部１０１が出力したL-Header及びE-Headerの符号化を行う。L-Header及びE-Headerのデータは第１キャリアで使用するものと同一のデータであるから、変調部１０４ｂは、変調を行う代わりに変調済みのL-Header及びE-Headerのデータを変調部１０４ａから取得しても良い。
【００２７】
但し、第１キャリアと第２キャリアとでチャネル帯域幅が異なる場合には、まず、2.16GHz帯域用の変調済のL-Header及びE-Headerのデータを変調部１０４ａから取得し、変調部１０４ｂでは、第２キャリア用のチャネル帯域幅に応じて、変調済のL-Header及びE-Headerのデータの複製とチャネル配置を行う。
【００２８】
また、ペイロードデータ分割部１０３が分割して出力したペイロードデータのうち、第１キャリアとは異なる１つのペイロードデータに対して変調を行う。このペイロードデータを第２キャリアのデータと呼ぶ。
【００２９】
変調部１０４ｃ、１０４ｄは、変調部１０４ｂと同様に、残りのペイロードデータ（すなわち第３キャリアのデータ、及び第４キャリアのデータ）に対して変調を行う。
【００３０】
また、広帯域D/A１０５ｂ〜１０５ｄ、広帯域RF１０６ｂ〜１０６ｄ、アンテナ１０７ｂ〜１０７ｄは、変調された第２〜第４キャリアのデータを、RF制御部１１０が指定する第２〜第４のキャリア周波数及び第２〜第４のチャネル帯域幅によりそれぞれ送信する。
【００３１】
アンテナ１０７ａ〜１０７ｄはそれぞれアレイアンテナであってもよく、つまり、アンテナ１０７ａ〜１０７ｄはそれぞれ複数のアンテナ素子から構成され、さらに、アンテナ素子間の位相やゲインを制御することでアンテナ１０７ａ〜１０７ｄの指向性を制御する構成としても良い。
【００３２】
また、RF制御部１１０は、PHY制御データに従い、アンテナ１０７ａ〜１０７ｄの指向性を制御しても良い。
【００３３】
＜受信装置の構成＞
図２は、チャネルアグリゲーションを行う受信装置２００の構成を示す図である。
【００３４】
RF制御部２１０は、まず、PHY制御データに基づき、L-Header及びE-Headerを受信するように第１キャリアの設定を行う。L-Header及びE-Headerの受信は、プライマリチャネルと呼ばれるあらかじめ定められたチャネルで行ってもよい。この場合、第１キャリアの復調部２０４ａ、同期部２０８ａ、広帯域A/D２０５ａ、広帯域RF２０６ａを、プライマリチャネルを受信できるチャネルの１つの設定にあわせ、中心周波数及び帯域幅を設定する。なお、RF制御部２１０は、第２〜第４キャリアを設定して、複数のキャリアでL-Header及びE-Headerを受信しても良い。
【００３５】
広帯域RF２０６ａは、60GHz帯のRF信号を変換してベースバンド信号を出力する。広帯域A/D２０５ａは、ベースバンド信号に対してA/D(アナログ/デジタル)変換を行う。同期部２０８ａは、デジタル変換されたベースバンド信号からプリアンブルを検出し、検出したプリアンブルを用いて、デジタル変換されたベースバンド信号に対して、キャリア周波数オフセットの推定及び補正を行う。復調部２０４ａは、イコライザ（等化器）、データ復調部を含み、同期部２０８ａから出力された信号に対して、等化、シンボル同期ずれの推定及び補正、データ復調等を行う。
【００３６】
ヘッダ復号部２０１は、復調部２０４ａから出力される復調されたデータから、ヘッダ情報を取り出し、取り出したヘッダ情報を用いて、LDPC復号（誤り訂正）、CRCチェック（誤り検出）、ヘッダフォーマットの解析を行い、PHYヘッダ情報を取得する。PHYヘッダ情報には、第１〜第４キャリアのチャネル情報（中心周波数及び帯域幅に関する情報、もしくは、チャネル番号）が含まれる。
【００３７】
ヘッダが復号された後、RF制御部２１０は、第１〜第４キャリアのチャネル情報に基づき第１〜第４キャリアの復調部２０４ａ〜２０４ｄ、同期部２０８ａ〜２０８ｄ、広帯域A/D２０５ａ〜２０５ｄ、広帯域RF２０６ａ〜２０６ｄの設定を行う。設定する情報は、各キャリアで使用するチャネルの中心周波数、及びチャネル帯域幅の情報を含む。なお、それらの情報の代わりにチャネル番号を用いても良い。なお、第１〜第４キャリアのチャネル情報として、ヘッダ復号部２０１から得られた値を用いてもよく、また、ヘッダ受信前にあらかじめ通知されている場合には、図示しないMAC処理部より入力されるPHY制御データに含まれるチャネル情報を用いても良い。
【００３８】
復調部２０４ａ〜２０４ｄ、同期部２０８ａ〜２０８ｄ、広帯域A/D２０５ａ〜２０５ｄ、広帯域RF２０６ａ〜２０６ｄは、復号されたヘッダ情報に基づいて、それぞれ設定されたチャネルの中心周波数、及びチャネル帯域幅に応じてチャネルアグリゲーションされたフレームを受信する。
【００３９】
復調部２０４ａ〜２０４ｄから出力された復調データは、ペイロード復号部２０２に集められ、ペイロード復号部２０２はLDPC復号（誤り訂正）やデスクランブルを行い、得られたデータを受信ペイロードデータとしてMAC処理部に転送する。
【００４０】
＜チャネライゼーション＞
図３は、チャネライゼーションを示す図である。IEEE802.11ad-2012規格では、ch1〜ch4が用いられる。それぞれの中心周波数は、58.32 GHz、60.48 GHz、62.64 GHz、64.80 GHzである。また、ch1〜ch4のチャネル間隔は2.16GHzである。便宜上、それぞれ、チャネル帯域幅を2.16 GHzと記載する。それぞれのチャネルにおいて、シンボルレート1.76 Gs/s(サンプル/秒)のシングルキャリア信号、もしくはサンプリングレート2.64 Gs/sで変調されたOFDM信号（但し約1.8GHzに帯域制限されている）を伝送することができる。
【００４１】
ch9, ch11は、チャネル帯域幅 4.32 GHzのチャネルボンディングを行うためのチャネルである。中心周波数は、それぞれ59.40 GHz、63.72 GHzである。すなわち、ch9は、ch1とch2をあわせた帯域を用い、ch11は、ch3とch4をあわせた帯域を使用する。また、ch2とch3をあわせた帯域であるch10は、中心周波数 61.56 GHz、チャネル帯域幅 4.32 GHzであるチャネルであるが、ch9及びch11の帯域と一部が重複するため、使用しない。
【００４２】
ch17は、チャネル帯域幅 6.48 GHzのチャネルボンディングを行うためのチャネルである。中心周波数は、60.48 GHzである。すなわち、ch17は、ch1、ch2、ch3をあわせた帯域を用いる。また、ch2、ch3、ch4をあわせた帯域であるch18と、ch3、ch4、ch5をあわせた帯域であるch19とは、中心周波数がそれぞれ62.64 GHz、64.80 GHz、チャネル帯域幅はいずれも6.48 GHzであるチャネルであるが、ch17の帯域と一部が重複するため、使用しない。
【００４３】
ch25は、チャネル帯域幅8.64 GHzのチャネルボンディングを行うためのチャネルである。中心周波数は、61.56 GHzである。すなわち、ch25は、ch1、ch2、ch3，ch4をあわせた帯域を用いる。
【００４４】
ch5〜ch8は、IEEE802.11ad規格では使われていない。将来、57〜66GHz以外の帯域で送信装置１００を使用可能な場合に、使用するチャネル番号である。中心周波数とチャネル帯域幅は未定であるが、説明の便宜上、ch1〜ch4と同様に2.16 GHz幅であり、ch4に隣接した高い周波数帯に配置されるものと想定し、中心周波数をそれぞれ66.96 GHz、69.12 GHz、71.28 GHz、73.44 GHzと記載した。
【００４５】
すなわち、説明の便宜上、ch1〜ch8は2.16 GHz間隔にて連続して配置したが、非連続の帯域であってもよい。例えば、ch5,6は図示したとおり連続チャネルであってもよく、ch7,8は離れた帯域(ch6とch7の間が2.16GHz以上)であってもよい。
【００４６】
なお、ch5〜8が存在したとき、ボンディングチャネルch13, ch15, ch20, ch29を図３に示す点線の通り定める。
【００４７】
図３に示したチャネルの中心周波数と、チャネル番号との対応は、ch1〜ch8(帯域幅が2.16 GHz)については、以下の式１で定められ、ch9〜ch16(帯域幅が4.32 GHz)については、以下の式２で定められ、ch17〜ch24(帯域幅が6.48 GHz)については以下の式３で定められ、ch25〜ch31(帯域幅が8.64 GHz)については式４で定められる。
Channel center frequency = Channel starting frequency
+ Channel spacing x Channel number          ・・・式１
Channel center frequency = Channel starting frequency
+ (Channel spacing/2) x (Channel number mod 8) + 1.08GHz
・・・式２
Channel center frequency = Channel starting frequency
+ (Channel spacing/3) x (Channel number mod 16) + 2.16GHz
・・・式３
Channel center frequency = Channel starting frequency
+ (Channel spacing/4) x (Channel number mod 24) + 3.24GHz
・・・式４
【００４８】
例えば、ch1〜ch8の場合、図４のChannel setにチャネル番号(1〜8)の記載がある行を参照し、Channel spacingが2160 MHz、Channel starting frequencyが56.16 GHzと決定する。帯域幅が2.16 GHzであるから、式１を参照し、Channel numberに該当するチャネル番号(1〜8)を代入して、Channel center frequency(チャネルの中心周波数)を算出する。
【００４９】
＜チャネルアグリゲーションの例＞
図５は、送信装置１００を用いて行うチャネルアグリゲーションの例を示す図である。
【００５０】
図５Ａでは、第１キャリアはch1、第２キャリアはch2、第３キャリアはch3、第４キャリアはch4を使用し、いずれも2.16GHzチャネル幅で送信を行う。第１〜４キャリアは、図１(送信装置)の第１〜４キャリアに対応する。
【００５１】
図５Ａでは、最大4キャリアまでアグリゲーションすることにより、スループットを4倍にすることができる。各キャリアではチャネル幅は2.16GHz(シンボルレートは1.76Gシンボル/秒)であるから、チャネルボンディングのように高速のD/A、A/D変換器を用いることなく、11ad規格と同じ速度のD/A、A/D変換器(例えば2.64Gサンプル/秒、シングルキャリアのシンボルレートの1.5倍)を用いて、高速な通信を行うことができる。また、送信するデータ量に応じて、一部のキャリアの送信を停止することで、低消費電力化をはかることができる。なお、チャネルボンディングでは、例えばch9からch1に切り替えを行う場合には、中心周波数を変更するため、切り替えのために遅延を要する。
【００５２】
また、各キャリアでは、チャネルボンディングを利用してよい。図５Ｂではチャネル幅 4.32 GHz (シングルキャリアのシンボルレート 3.52 Gサンプル/秒)のボンディングチャネルを3キャリアで送信することにより、11ad規格の約６倍のスループットを実現する。なお、チャネルボンディングで実現する場合には、チャネル幅 12.96 GHz (例えば、シングルキャリアのシンボルレート 10.56 Gシンボル/秒)の信号を受信できるD/A、A/D変換器を用いるため、小型及び低消費電力を実現することが困難である。それに比べて相対的に低いサンプリングレートのD/A、A/D変換器を用いて高スループットが実現できるので、低消費電力化をはかることができる。
【００５３】
また、各キャリアは、異なるチャネル幅（異なるシンボルレート、異なるチャネルボンディングレベル）を用いても良い。図５Ｃでは、ch17（３チャネルボンディング）、ch4、ch13（２チャネルボンディング）の組み合わせを示す。
【００５４】
第１に、利用できる総チャネル数が例えば５チャネル(10.8GHz=2.16GHz ×5)のように奇数である場合に、４チャネル(8.64GHz)と１チャネル(2.16GHz)、もしくは、３チャネル(6.48GHz)と２チャネル(4.32GHz)のように組み合わせて、最大のスループットを得ることができる。
【００５５】
第２に、各キャリアの信号を別のユーザに対して送信する場合（詳しくはマルチユーザ伝送のＭＣＳ通知で説明する）、ユーザ毎の対応能力（ボンディング可能なチャネル数）や、ユーザ毎のデータ量に応じて、適切に各キャリアのチャネル幅を選択し、スループットを高めることができ、チャネルの利用効率を高めることができる。
【００５６】
第３に、図５Ｄのように、混雑したチャネル（例えばch4)を避けてキャリアを配置することができるので、スループットを高めることができ、チャネルの利用効率を高めることができる。
【００５７】
＜フレームフォーマット＞
送信装置１００が行うチャネルアグリゲーションにおけるPHYフレーム（以下、「チャネルアグリゲーションフレーム」という）のフォーマットを図６に記載する。図６Ａは図５Ａに対応し、図６Ｂは図５Ｂに対応し、図６Ｃは図５Ｃに対応し、図６Ｄは図５Ｄに対応する。
【００５８】
STFからE-Headerまでは、チャネル毎に全て同じ信号、変調を用いて送信する。なお、受信装置は、Primary channel以外を受信しなくてもよい。ここで、Primary channelは、2.16GHz幅のいずれかのチャネルであり、あらかじめ定められている。例えば、図６Ａでは、ch1からch4までのいずれかである。また、図６Ｂでは、ch1からch6までのいずれかである。
【００５９】
送信装置は、E-Headerにチャネル選択情報を含めて送信する。例えば、図６Ａでは、ch1,2,3,4を選択したことを示す情報を含める。また、図６Ｂでは、ch9,11,13を選択したことを示す情報を含める。また、送信装置とアソシエーションを行っていないSTAのために、E-HeaderにはPrimary Channel情報を含めてよい。なお、これらのチャネル選択情報の通知方法の詳細については後述する。
【００６０】
なお、E-Headerの代わりに、L-Headerにチャネル選択情報を含めても良い。
【００６１】
図６Ａでは、第１キャリアから第４キャリアにおいて、ヘッダ(L-Header, E-Header)及びペイロード(Payload1からPayload4まで)は、シンボルレート1.76 Gspsのシングルキャリアで変調され、2.16 GHz帯域幅で送信される。
【００６２】
図６Ｂでは、第１キャリアから第３キャリアにおいて、ペイロード(Payload1からPayload3まで)はシンボルレート3.52 Gspsのシングルキャリアで変調され、4.32 GHz帯域幅で送信される。ヘッダは、1.76Gspsでシングルキャリア変調され、ch9,ch11,ch13に対応する2.16 GHzチャネルであるch1からch6までにおいて送信される。
【００６３】
図６Ｃでは、第１,第２,第３キャリアにおいて、Payload1,Payload2,Paylaod3はそれぞれシンボルレート5.28 Gsps, 1.76 Gsps, 3.52 Gspsのシングルキャリアで変調され、それぞれ6.48 GHz, 2.16 GHz, 4.32 GHz帯域幅で送信される。ヘッダは、1.76Gspsでシングルキャリア変調され、ch17,ch4,ch13に対応する2.16 GHzチャネルであるch1からch6までにおいて送信される。
【００６４】
図６Ｄでは、第１,第２キャリアにおいて、Payload1,Payload2はそれぞれシンボルレート5.28 Gsps, 3.52 Gspsのシングルキャリアで変調され、それぞれ6.48 GHz, 4.32 GHz帯域幅で送信される。ヘッダは、1.76Gspsでシングルキャリア変調され、ch17,ch13に対応する2.16 GHzチャネルであるch1, ch2, ch3, ch5, ch6 において送信される。
【００６５】
このように、各キャリアで異なる帯域幅を用いる場合でも、ヘッダは2.16 GHz帯域幅で送信されるため、キャリアアグリゲーションフレームに含まれるいずれか１つの2.16 GHz帯域のチャネルを受信することで、ヘッダの情報を得ることができ、チャネルアグリゲーションフレームにおけるチャネル選択情報を取得することができる。
【００６６】
なお、STF(Short Training Field）、CEF(Channel Estimation Field)は、IEEE802.11ad規格に定められる信号と同等である。これらは、信号の同期や、L-Header、E-Headerの復調に用いられる。
【００６７】
E-STF(EDMG STF)、E-CEF(EDMG CEF)は、信号の同期や、ペイロードの復調(チャネル推定）に用いられ、ペイロードと同じ信号帯域幅で送信される。
【００６８】
＜チャネル選択情報通知方法＞
次に、送信装置が、受信装置に対してチャネル選択情報を通知する方法について説明する。
【００６９】
（方法１）
前述の通り、チャネル選択情報は、データパケットのE-Header(もしくはL-Header)を用いて通知される。
【００７０】
この場合、図７Ａに示すように、受信装置２００は、Primary Channel上のE-Headerを受信及び復号してチャネル選択情報を取得する。取得したチャネル選択情報に応じて、E-STF受信開始タイミングにおいてA/D変換器のサンプリングレートを切り替える。
【００７１】
なお、A/D変換器はあらかじめ（ヘッダ受信前から）3.52GSpsもしくは受信装置がサポートする最大のサンプリングレートに設定しておき、デジタルフィルタ及びアナログフィルタを切り替えても良い。
【００７２】
（方法２）
データパケットを送信する前に、先行するパケットで使用チャネルを通知する。
【００７３】
この場合、送信装置１００は、図７Ｂに示すように、非特許文献１に記載されている通り、11ad規格に準拠したRTS(Request To Send)フレームにCT(Control Trailer)を付加して送信する。このとき、CTにデータパケットの送信に使用するチャネルの情報を含める。STA1は、ch1,ch2における送信権を獲得するため、CTを付加したRTSフレームを、ch1とch2に送信する。STA2は、RTSフレームを受信し、ch1,ch2におけるSTA1からの送信を許可するため、ch1,ch2にCTを付加したCTSを送信する。CTにはそれぞれ、ch1,ch2を使ってチャネルボンディングを行うことを示す情報が含まれている。STA1は、CTSを受信した後、ch1,ch2を使ってチャネルボンディングを行い、Dataパケットを送信する。
【００７４】
RTSとCTS, CTSとDataパケット（図７Ａ参照）の間隔は、SIFS(short interframe space)として規定され、約3μsとなるように送信することが規定されている。
【００７５】
STA2は、RTSを受信した直後のSIFSにおいて受信装置の構成及び設定（サンプリングレートなど）を切り替えても良い。すなわち、STA2は通常Primary channel(例えばch2)で待ち受けを行う。RTSフレームをch2で受信する。RTS直後のSIFSで使用チャネルを切り替えて、CTSをch1及びch2に送信する。また、Dataをch1及びch2で受信する。STA1がRTSにより獲得した送信権(TXOP)が満了したら、STA2はPrimary channelでの待ち受けに戻る。
【００７６】
＜チャネル選択情報を示すフォーマット１＞
図８に示す、5つのフィールド（Primary channel number、BW of 1st carrier、Channel number of 2nd carrier、Channel number of 3rd carrier、Channel number of 4ht carrier)により構成される情報を、フォーマット１と呼ぶ。送信装置１００は、フォーマット１を用いて第１キャリアから第４キャリアまでの情報、及びプライマリチャネルの情報を通知する。フォーマット１は、E-Header(またはL-Header)およびCT(Control Trailer)の一部として送信される。
【００７７】
また、受信装置２００は、フォーマット１を受信して、その内容から、第１キャリアから第４キャリアまでの情報、及びプライマリチャネルの情報を取得する。
【００７８】
（各フィールドの説明）
Primary channel numberフィールドには、プライマリチャネル番号(ch1からch8まで)の値を示す。なお、値０はch8を表してもよい。また、使用できるチャネルがch1からch4までであるとき、値５から７まで及び０は予約(reserved)であり、将来の拡張用に使用してよい。
【００７９】
BW of 1st carrierフィールドは、第１キャリアのチャネル帯域幅（BW: Bandwidth）を示す。値０が2.16GHz、値１が4.32GHz、値２が6.48GHz、値３が8.64GHzを表す。また、値４から７まではreservedであり、将来の拡張に用いてよい。
【００８０】
Primary channel numberフィールドと、BW of 1st carrierフィールドの値の組み合わせにより、第１キャリアのチャネル番号を決定することができる。例えば、プライマリチャネルが３であり、第１キャリアがch11である場合、送信装置１００は、Primary channel numberフィールドに３を設定し、BW of 1st carrierフィールドに１を設定して送信する。受信装置２００は、受信した値と、図３のチャネライゼーションの情報から、Primary channel numberフィールドが３であり、BW of 1st carrierフィールドが１である場合は、第１キャリアはch11であると決定する。つまり、プライマリチャネルの帯域は、第１キャリアの帯域の少なくとも一部として含まれるように、第１キャリアのチャネルを定める。
【００８１】
Channel number of 2nd carrierフィールドは、第２キャリアのチャネル番号を示す。また、第２キャリアでの送信を行わない場合、Channel number of 2nd carrierフィールドの値は0である。第２キャリアの送信を行う場合、送信装置１００は、有効なチャネル番号（例えば、図３に示したch1, ch2, ch3, ch4, ch9, ch11, ch17, ch25（実線部分））のいずれかの値を設定する。また、将来の拡張のため、１から３１のいずれかの値を設定して、図３に含まれないチャネル番号を通知してもよい。例えば、図３に記載しないチャネル番号ch30, ch31を新たに定めても良い。
【００８２】
Channel number of 3rd carrierフィールド、Channel number of 4th carrierフィールドは、Channel number of 2nd carrierフィールドと同様に、第３、第４キャリアのチャネル番号を示す。第３、第４キャリアが無い場合、対応するフィールドの値は０である。
【００８３】
フォーマット１を用いて、送信装置１００は、第２,第３,第４キャリアのチャネル番号を含めて送信するようにし、また、第２、第３、第４キャリアのチャネル番号は、図３に示したチャネル番号を含むch1からch31までの番号を用いることで、チャネルアグリゲーションの各キャリアがボンディングチャネルにより構成できるようにしたので、チャネルの利用効率を高め、データ転送速度を向上させることができる。
【００８４】
また、フォーマット１を用いて、送信装置１００は、Primary channel numberとチャネル帯域幅を表すインデックスを通知するようにしたので、第１キャリアのチャネル番号を通知しなくてよく、送信する制御情報のビット数を削減し、データ転送速度を向上させることができる。
【００８５】
＜チャネル選択情報を示すフォーマット２＞
第１キャリアから第４キャリアまでの情報、及びプライマリチャネルの情報を通知する別の方法について説明する。送信装置１００は、図９に示すフォーマット２を用いて、第１キャリアから第４キャリアまでの情報、及びプライマリチャネルの情報を通知する。フォーマット２は、図６Ａ、図６ＢのE-Header（またはL-Header）およびCT（Control Trailer）の一部として送信される。Primary channel numberフィールドは、Primary channel番号である。
【００８６】
2.16 GHz channel bitmapフィールドは、ch1からch8までのいずれかを、第１キャリアから第４キャリアまでのいずれかで使用している場合に１を設定する。例えば、第１キャリアがch1を使用し、第２キャリアがch3を利用する場合、2.16 GHz channel bitmapの値を、2進数表現で00000101と設定する。つまり、LSBがch1を表し、MSBがch8を表す。
【００８７】
4.32 GHz channel bitmapフィールドは、ch9,ch11,ch13,ch15のいずれかを、第１キャリアから第４キャリアまでのいずれかで使用している場合に１を設定する。例えば、第１キャリアがch15を使用し、第２キャリアがch11を利用する場合、4.32 GHz channel bitmapの値を、2進数表現で1010と設定する。つまり、LSBがch9を表し、MSBがch15を表す。
【００８８】
2.16GHzと4.32GHzの組み合わせによるチャネルアグリゲーションを行う場合、2.16 GHz channel bitmapと4.32 GHz channel bitmapのそれぞれに１を設定する。例えば、第１キャリアがch13, 第２キャリアがch2を使用するとき、00000010, 0100と設定する。前者が2.16 GHz channel bitmap, 後者が4.32 GHz channel bitmapである。
【００８９】
フォーマット２の2.16 GHz channel bitmapと4.32 GHz channel bitmapの値は、図１０Ａの「ch」列と「index」列のように、チャネル番号と整数値の対応により定めても良い。図１０Ａに定める整数値をインデックス(index)と呼ぶ。なお、図１０Ａの「bitmap」列では左端をLSB, 右端をMSBとして2.16 GHzと4.32 GHzのchannel bitmapフィールドの値を記載した。インデックスの値は、2.16 GHzと4.32 GHzのchannel bitmapを結合し、4.32GHz側を上位ビット、2.16GHz側を下位ビットとして１０進数換算したものである。例えば、ch1の場合、bitmapのLSBが１であるから、整数１とみなすことができる。
【００９０】
6.48 GHz, 8.64 GHzチャネルボンディングは、次のように通知する。すなわち、2.16 GHz channel bitmapフィールドと、4.32 GHz channel bitmapフィールドとの組み合わせにおいて、無効な組み合わせを、6.48 GHz, 8.64 GHzチャネルボンディングを表すものとしてあらかじめ定めておく。例えば、ch9とch1の組み合わせは、ch1の帯域が重複するため、無効である。そこで、ch9とch1の組み合わせは、ch17を示すものとあらかじめ定める。このときのビットマップの値は、00000001,0001 である。
【００９１】
同様に、ch20, ch25, ch29のビットマップの値を、図１０Ｂの通り定める。図１０Ｂは、6.48 GHzチャネルと8.64 GHzチャネルのビットマップに対するインデックスの値を示す。例えば、ch17のインデックスは257である。これは、ch1とch9のインデックスを加算した値であるが、前述の通りch1とch9のアグリゲーションは無効であるから、ch17を示すインデックスとして用いる。
【００９２】
6.48 GHzまたは8.64 GHzチャネルボンディングを含む、前述のチャネル(図３に示すch1からch29)を複数用いたチャネルアグリゲーションは、図１０Ａ、図１０Ｂに示すindexの値を加算することで指定することができる。
【００９３】
例えば、ch1(indexの値は1)とch3(indexの値は4)のチャネルアグリゲーションを表すindexは、各indexを加算して、５となる。
【００９４】
また、ch4(indexの値は8）とch13(indexの値は1024)のチャネルアグリゲーションを表すindexは、各indexを加算して、1032となる。
【００９５】
また、ch25(index=516)とch13(index=1024)とch7(index=64)のチャネルアグリゲーションを表すindexは、1604(=516+1024+64)となる。
【００９６】
indexの加算は、整数の加算でもよく、また、論理和でもよい。これは、ビットの重複がないので、同じ結果となるためである。
【００９７】
図１０Ａ、図１０Ｂの任意のチャネルの組み合わせたアグリゲーションのインデックスは、インデックスの加算により定める。例えば、ch17とch4のインデックスはそれぞれ257と8であるから、ch17とch4のアグリゲーションのインデックスは265である。ここで、受信装置２００がインデックスの値として265を受信した場合、図１０Ａ、図１０Ｂいずれにも含まれないインデックスであるから、265はアグリゲーションを表すインデックスであると判別することができる。
【００９８】
以上より、第１の帯域幅のビットマップと第２の帯域幅のビットマップを通知し、第３の帯域幅のチャネルは上記の組み合わせで通知するようにした。
【００９９】
なお、送信装置１００は最大４キャリアの送信を行うことができる構成を例として示したが、５キャリア以上の送信を行える送信装置を用いても良い。フォーマット２は、フォーマット１と異なり、５キャリア以上のチャネルアグリゲーションを通知することができる。例えば、ch1〜ch8を全て用いた８キャリアのチャネルアグリゲーションのインデックスは255である。また、ch1〜ch6と、ch15を用いた７キャリアのチャネルアグリゲーションのインデックスは、2111である。
【０１００】
＜効果＞
本実施の形態によれば、異なる帯域のボンディングチャネルを通知することができるので、周波数の利用効率を高めることができる。また、サンプリングレートが低いD/A、A/Dを用いて高いスループットを実現することができる。
【０１０１】
また、少ないビット数で、キャリア数の制限無くチャネルの組み合わせを通知することができる。
【０１０２】
また、チャネルアグリゲーションを行う場合は、インデックスの値を加算もしくは論理和(OR)演算を行うことにより得られる。例えば、ch1とch3のインデックスはそれぞれ１，４であるから、ch1とch3のアグリゲーションのインデックスは５である。
【０１０３】
フォーマット２は、2.16GHzと4.32GHzの２つのビットマップからインデックスの値を定め、インデックスの値の加算によりチャネルアグリゲーションのインデックスを定めるようにしたので、広帯域のチャネル（ボンディングチャネル）のアグリゲーションを実現し、伝送速度を高めることができる。
【０１０４】
また、2.16GHzと4.32GHzの2つのビットマップにおいて帯域が重複する組み合わせを6.48GHzと8.64GHzのチャネルを表すインデックスと定めたため、少ないビット幅でチャネルアグリゲーションの通知を行うことができ、伝送速度を高めることができる。
【０１０５】
また、2.16GHzと4.32GHzの2つのビットマップからインデックスの値を定めるようにしたため、キャリア数の制限なくチャネルアグリゲーションの通知を行うことができ、伝送速度を高めることができる。
【０１０６】
フォーマット２では、図１０Ａ、図１０Ｂに加え、図１１Ａ、図１１Ｂに示すインデックスを定め、将来の拡張に用いても良い。
【０１０７】
次に、図１１Ａについて説明する。図１０Ｂにおいて、インデックスの値257をch17と定めたので、例えばインデックスの値261は、ch17とch3のアグリゲーションを表す。しかし、ch17とch3は帯域が重複するため、無効な組み合わせである。そこで、インデックスの値261は、ch17とch3のアグリゲーションではなく、別のチャネルを表すインデックスと定める。例えば、図３に図示しないch30を追加し、そのインデックスの値を261と定める。ch30の例を、図１２に示す。ch30は、例えば、チャネル帯域幅10.80 GHz、中心周波数はch3の中心周波数と同じである。
【０１０８】
フォーマット２を用いて、例えば、ch30とch15のアグリゲーションは、それぞれのインデックス(261と2048)を加算し、インデックス2309と定める。
【０１０９】
このインデックスの値は、図１０Ａ、図１０Ｂ、図１１Ａ、図１１Ｂに定めた他のどのチャネルとも重複していないため、受信装置２００は、このインデックスを受信したとき、ch30とch15のアグリゲーションであると判別することができる。
【０１１０】
図１１Ａ、図１１Ｂに、ch17,ch20,ch25,ch29と、帯域が重複する2.16 GHzのチャネルの組み合わせ(但し、図１０Ｂに示したものを除く)を示す。これらは、無効な組み合わせであるから、reservedとして将来の拡張（例えば、新しい帯域幅のチャネル）に用いてよい。
【０１１１】
つまり、図１１Ａ、図１１Ｂに示す値は単一のボンディングチャネル（チャネルアグリゲーションを行わない場合）を示すインデックスとして用いてよい。チャネルアグリゲーションを行う場合には、図１０Ａ、図１０Ｂ、図１１Ａ、図１１Ｂに定めた任意のindexの値を加算することで、任意の有効な（すなわち帯域が重複しない）チャネルの組み合わせを指定することができる。
【０１１２】
＜チャネル選択情報を示すフォーマット３＞
フォーマット３では、フォーマット２と同様に、2.16 GHzと4.32GHzのビットマップを用いる。図１３Ａは、図１０Ａと同じである。
【０１１３】
図１３Ｂは、図１０Ｂと同様に、無効なアグリゲーションの組み組み合わせを表すインデックスを用いてch17,ch20,ch25,ch29を表す。しかし、図１０Ｂと異なり、帯域を占有している2.16 GHzチャネルに対応するビットを全て１に設定する。
【０１１４】
例えば、ch17は、ch1,ch2,ch3の帯域を占有するので、2.16 GHz channel bitmapフィールドの下位3ビットを１に設定する。その上で、無効な組み合わせのインデックスとするため、4.32 GHz channel bitmapフィールドの最下位ビット(ch9に対応する)を１に設定する。このとき、ch17が占有する帯域に、全てが含まれるように4.32 GHz channel bitmapフィールドの値を選択する。つまり、Ch17と重複するのは、ch9とch11であるが、ch11はch17の一部に含まれない帯域も用いるため、ch11ではなく、ch9を選択する。これにより、ch17のインデックスの値を263とする。
【０１１５】
ch20も同様に、ch20が帯域を占有する2.16 GHzチャネルであるch4,ch5,ch6に対応する2.16 GHz channel bitmapフィールドの値を１に設定し、ch20が占有する帯域に、全てが含まれる4.32 GHzチャネルであるch13に対応する4.32 GHz channel bitmapフィールドを１に設定する。
【０１１６】
ch25では、ch25が帯域を占有する2.16 GHzチャネルであるch1〜ch4に対応する2.16 GHz channel bitmapフィールドの値を１に設定し、ch25が占有する帯域に、全てが含まれる4.32 GHzチャネルであるch11に対応する4.32 GHz channel bitmapフィールドを１に設定する。ここで、ch9もch25が占有する帯域に全てが含まれるが、ch17と区別するため、ch25では、ch11に対応するビットを１にして使用する。ch29も同様に、ch4〜ch8, ch15に対応するビットを１に設定する。同様に、図３のチャネライゼーションに含まれない新たなボンディングチャネルを追加することもできる。例えば、図１２に示したch30は、ch1〜ch5, ch9,ch11に対応するビットを１に設定すればよい。
【０１１７】
フォーマット３によれば、2.16 GHz channel bitmapには、チャネルアグリゲーションフレームが占有する全ての2.16 GHz帯域のチャネルに対応するビットが１に設定されるため、フレームを受信した端末は、チャネルアグリゲーションに非対応であっても、どのチャネルが使用されているかを判定することができる。
【０１１８】
将来の拡張により、新しく追加されたインデックスを未知である端末がチャネルアグリゲーションフレームを受信した場合であっても、2.16 GHz channel bitmapフィールドを参照することにより、どのチャネルが占有されているかを判断することができる。
【０１１９】
さらに、2.16 GHz channel bitmapと、4.32 GHz channel bitmapとを組み合わせて送信するようにしたので、4.32 GHzを超える帯域を含むチャネルアグリゲーションフレームのチャネル選択情報を送信することができ、高速な伝送を実現することができる。
【０１２０】
＜チャネル選択情報を示すフォーマット４＞
本実施の形態では、送信装置１００は、チャネル帯域幅がキャリア間で共通となるチャネルアグリゲーションフレームを送信する。すなわち、第１〜第４キャリアで共通のチャネル帯域幅である。図５Ａ、図５Ｂを実現し、図５Ｃ、図５Ｄは実現しない。
【０１２１】
送信装置１００は、図１４に示すフォーマット４を用いて、チャネルアグリゲーションフレームのチャネル選択情報を通知する。
【０１２２】
BWフィールドは、第１〜第４キャリアに共通のチャネル帯域幅を指定する。
【０１２３】
Primary channel numberフィールドは、プライマリチャネルのチャネル番号を通知する。プライマリチャネルは、2.16 GHz幅のチャネル(ch1〜ch8)のいずれかである。また、第１キャリアは、プライマリチャネルの帯域を含む。これにより、受信装置２００は、BWフィールドの値と、Primary channel numberフィールドの値から、第１キャリアのチャネル番号を決定することができる。例えば、BWフィールドの値が２で、Primary channel numberフィールドの値が３であるとき、図３のチャネライゼーションから、これらの値となるチャネルはch17であるから、受信装置は、第１キャリアはch17であると決定できる。
【０１２４】
Partial channel number of 2nd carrierフィールドは、第２キャリアのチャネル番号の下位3bitを通知する。本フィールドと、BWフィールドの値との組み合わせにより、受信装置２００は、第２キャリアのチャネル番号を特定できる。
【０１２５】
例えば、BWフィールドの値が３、Partial Channel number of 2nd carrierフィールドの値が１であれば、第２キャリアはチャネル２５を使用することを示す。
【０１２６】
Partial channel number of 3rd carrierフィールドは、同様に、第３キャリアのチャネル番号の下位3bitを通知する。本フィールドと、BWフィールドの値との組み合わせにより、受信装置２００は、第３キャリアのチャネル番号を特定できる。
【０１２７】
Partial channel number of 4th carrierフィールドは、同様に、第４キャリアのチャネル番号の下位3bitを通知する。本フィールドと、BWフィールドの値との組み合わせにより、受信装置２００は、第４キャリアのチャネル番号を特定できる。
【０１２８】
なお、第２キャリアを用いた送信を行わない場合、Partial channel number of 2nd carrierフィールドの値を、Primary channel numberフィールドと同じ値に設定する。これにより、キャリア数を通知するフィールドを追加することなく、キャリア数を１〜４の中から任意に選択して送信を行うことができる。
【０１２９】
フォーマット４では、Partial channel number of 2nd carrierフィールド、Partial channel number of 3rd carrierフィールド、Partial channel number of 4th carrierフィールドを用いて、第２〜第４キャリアのチャネル番号の下位ビットを送信するようにしたので、チャネル選択情報の送信に用いるビット数を少なくすることができ、データ伝送速度を高めることができる。
【０１３０】
＜チャネル選択情報を示すフォーマット５＞
本実施の形態では、図１４のフォーマット４と同様に、送信装置１００は、チャネル帯域幅がキャリア間で共通となるチャネルアグリゲーションフレームを送信する。すなわち、第１から第４キャリアで共通のチャネル帯域幅である。図５Ａ、図５Ｂを実現し、図５Ｃ、図５Ｄは実現しない。図１５Ａにフォーマット５を示す。
【０１３１】
Primary channel numberフィールドは、プライマリチャネルのチャネル番号を示す。フォーマット４と同様に、第１キャリアは、プライマリチャネルの帯域を一部に含むチャネルを使用する。
【０１３２】
BW indexフィールドは、第１キャリアから第４キャリアまでのチャネル帯域幅、キャリア数、チャネルの組み合わせを表すインデックスである。
【０１３３】
BW indexフィールドの値と、第１キャリアから第４キャリアまでのチャネル帯域幅及びキャリア数との関係は、図１５Ｂのように定める。
【０１３４】
次に、チャネルの組み合わせに対するBW indexの定め方について説明する。なお、以下の説明では、Primary channel numberから1を減じた値をc1、第２〜第４キャリアのPartial channel numberから１を減じた値をc2〜c4と表す。ここで、c1〜c4は0〜7の値をとる。
【０１３５】
[BW index=0]
チャネル帯域幅2.16 GHz、キャリア数１の場合、BW indexは０である。第１キャリアのチャネル番号は、Primary channel numberフィールドの値と等しい。
【０１３６】
[BW index=1〜7]
チャネル帯域幅2.16 GHz、キャリア数２の場合、BW indexは１〜７のいずれかである。送信装置１００は、BW indexの値を、次の式により定める。
BW_index = (c2-c1) mod 8
【０１３７】
一方、受信装置２００は、受信したBW indexとPrimary channel numberの値から、c1,c2の値を次のように算出する。
c2 = (c1 + BW_index) mod 8
【０１３８】
[BW index=8〜28]
チャネル帯域幅2.16 GHz、キャリア数３のとき、BW indexは8〜28である。送信装置１００は、BW_indexを、次のように定める。
(c2-c1-1)mod8が2以下のとき
(c2-c1-1)mod 8 + ((c3-c1-1)mod 8)*3 + 8
上記以外のとき
(5-(c2-c1-1))mod 8 + (6-(c3-c1-1)mod 8)*3 + 8
【０１３９】
受信装置２００は、受信したBW indexとPrimary channel numberの値から、c2, c3の値を次のように算出する。
t1 = (BW_index-8)mod 3, t2 = floor((BW_index-8)/3)
t1<t2のとき
c2 = (c1+t1+1)mod 8, c3 = (c1+t2+1)mod 8
上記以外のとき
c2 = (6+c1-t1)mod 8, c3 = (7+c1-t2)mod 8
【０１４０】
以下、BW index=8〜28の場合について詳しく説明する。図１６は、BW indexが8のときのチャネルの組み合わせを示す図である。
【０１４１】
第１キャリアのチャネル番号（帯域幅が2.16GHzなので、Primary channel番号と同じ）がch1の場合、2nd,3rdキャリアのチャネル番号はそれぞれch7, ch8である。また、第１キャリアがチャネル2のとき、2nd,3rdキャリアのチャネル番号はそれぞれch8, ch1である。このように、BW indexの値が１つ（例えば 8）であっても、Primary channel番号に応じて、異なる2nd,3rdキャリアのチャネル番号の組み合わせを表すようにしたので、少ないビット数で多くの組み合わせを表すことができる。本実施の形態では、Primary channel番号は８通りの値をとりうるので、BW_indexの１つの値で８通りのチャネルの組み合わせを表すことができる。
【０１４２】
例えば、BW_indexが８のとき、仮に第２キャリアはch7、第３キャリアはch8を表すと固定的に決めた場合、BW_index=8とPrimary channel= ch7またはch8という組み合わせは無効になり、BW_indexが8のときに表すことができるチャネルの組み合わせは６通りである。
【０１４３】
[BW index=29〜63]
チャネル帯域幅2.16 GHz、キャリア数４の場合、BW indexは29〜63である。送信装置１００は、次のようにBW indexの値を定める。
【０１４４】
まず、計算のため、c2', c3', c4'の値を次のように計算する。
c2'=(c2-c1)mod 8, c3'=(c3-c1)mod 8, c4'=(c4-c1)mod 8
【０１４５】
（１）Primary channelを除いた３つのチャネルのうち、少なくとも２つが隣接している場合
この場合は、Primary channelを跨ぎ隣接している場合を含む。また、ch8とch1は隣接しているとみなす。つまり、例えばch8がPrimary channelの場合、ch7とch1は隣接しているとみなす。
【０１４６】
隣接している２つのチャネルをc2,c3、残りをc4となるようにc2,c3,c4の値を決定する。ここで、(c3'-c2')mod7=1となるように、c2,c3を選ぶ。すなわち、隣接している左側のチャネルに対応してc2の値を決め、右側のチャネルに対応してc3の値を決定する。また、３つのチャネルが隣接している場合、c2'とc4'が隣接しないようにc2,c3,c4を選ぶ。
【０１４７】
例えば、Primary channelがch3, 他のチャネルがch2, ch4, ch5の場合、c1=2, c2=1, c3=3, c4=4のように選ぶ。このとき、c2'=7, c3'=1, c4'=2である。
【０１４８】
BW_indexの値は、次のように定める。
BW_index = ((c4'-c2'-2)mod7) + (c2'-1)*4 + 29
ここで、BW indexの値は29〜56である。
【０１４９】
受信装置２００は、BW indexの値が29〜56のとき、BW_indexからc2,c3,c4を次のように算出する。
c2' = floor((BW_index-29)/4)+1, c2 = (c2'+c1) mod 8
c3' = (c2'+1)mod 7, c3 = (c3'+c1) mod 8
c4' = ((BW_index-29)mod 4+c2'+2) mod 7, c4 = (c4'+c1) mod 8
【０１５０】
（２）Primary channelを除いた3つのチャネルのうち、いずれの2つも隣接していない場合
この場合、c3'=(c2'+2)mod7, c4'=(c3'+2)mod7 という関係になるようにc2,c3,c4を決定する。
【０１５１】
例えば、Primary channelがch7, 他のチャネルがch2, ch5, ch8の場合、c1=6, c2=4, c3=7, c4=1である。このとき、c2'=6, c3'=1, c4'=3であり、c3'=(c2'+2)mod7, c4'=(c3'+2)mod7が成り立つ。
BW_indexの値は、次のように定める。
BW_index = c2'-1 + 57
ここで、BW indexの値は、57〜63である。
【０１５２】
受信装置２００は、BW indexの値が57〜63のとき、BW_indexとPrimary channel numberからc2,c3,c4を次のように算出する。
c2' = BW_index-57+1, c2 = (c2'+c1) mod 8
c3' = (c2'+2)mod 7, c3 = (c3'+c1) mod 8
c4' = (c3'+2)mod 7, c4 = (c4'+c1) mod 8
【０１５３】
[BW index=64]
チャネル帯域幅が4.32 GHz、キャリア数が１の場合、BW indexは64である。
【０１５４】
[BW index=65〜67]
チャネル帯域幅が4.32 GHz、キャリア数が２の場合、BW indexは65〜67である。
【０１５５】
送信装置１００は、BW indexの値を次のように定める。
c1'=floor(c1/2), c2'=floor(c2/2)とおく。
BW_index = (c2'-c1') mod 8 + 64
【０１５６】
受信装置２００は、BW indexの値が65〜67のとき、BW indexとPrimary channel numberの値から、c2を次のように算出する。
c1'=floor(c1/2)
c2 = c1'*2+(BW_index-64)*2
【０１５７】
[BW index=68〜70]
チャネル帯域幅が4.32 GHz、キャリア数が３の場合、BW indexは68〜70である。
【０１５８】
送信装置１００は、BW indexの値を次のように定める。
c1'=floor(c1/2), c2'=floor(c2/2), c3'=floor(c3/2)とおく。
【０１５９】
ただし、c1,c2,c3はサイクリックな順となるように、c2,c3の順序を定める。すなわち、(c2-c1)mod 8 < (c3-c1)mod 8となるように、c2,c3を入れ替える。
【０１６０】
このとき、BW indexは次のように算出する。
BW_index = ((c2'-c1'-1) mod 2) * 2 +  (c3'-c2'-1) mod 2 + 68
【０１６１】
受信装置２００は、BW indexの値が68〜70のとき、BW indexとPrimary channel numberの値から、c2,c3を次のように算出する。
c1'=floor(c1/2)
c2' = ((c1'+floor(BW_index-68)/2) mod 4)
c3'  = (c2'+floor(BW_index-68) mod 2)
c2 = c2’*2
c3 = c3’*2
【０１６２】
[BW index=71]
チャネル帯域幅が4.32 GHz、キャリア数が４の場合、BW indexは71である。チャネルの組み合わせは、ch9,ch11,ch13,ch15の組み合わせの１通りである。
【０１６３】
受信装置２００は、BW indexの値が71のとき、Primary channel numberの値から、c2,c3,c4を次のように算出する。すなわち、c1〜c4がサイクリックな順となるようにc2〜c4を定める。
c1'=floor(c1/2)
c2 = (c1'*2+2)mod8
c3 = (c2+2)mod8
c4 = (c3+2)mod8
【０１６４】
[BW index=72]
チャネル帯域幅6.48 GHz、キャリア数１の場合、BW indexは72である。使用されるチャネルは、ch17またはch20である。
【０１６５】
受信装置２００は、Primary channel numberの値から、ch17またはch20のいずれが使用されているかを判別できる。すなわち、プライマリチャネルがch1〜ch3のいずれかであれば、使用チャネルはch17であり、プライマリチャネルがch4〜ch6のいずれかであれば、使用チャネルはch20である。
【０１６６】
[BW index=73]
チャネル帯域幅6.48 GHz、キャリア数２の場合、BW indexは73である。使用されるチャネルの組み合わせは、ch17とch20の1通りである。
【０１６７】
[BW index=74]
チャネル帯域幅8.64 GHz、キャリア数１の場合、BW indexは74である。使用されるチャネルは、ch25またはch29である。
【０１６８】
受信装置２００は、Primary channel numberの値から、ch25またはch29のいずれが使用されているかを判別できる。すなわち、プライマリチャネルがch1〜ch4のいずれかであれば、使用チャネルはch25であり、プライマリチャネルがch5〜ch8のいずれかであれば、使用チャネルはch29である。
【０１６９】
[BW index=75]
チャネル帯域幅8.64 GHz、キャリア数２の場合、BW indexは75である。使用されるチャネルの組み合わせは、ch25とch29の１通りである。
【０１７０】
[BW index=76〜127]
BW indexの値が76から127は、reservedである。将来の拡張において、新たなチャネル帯域幅を追加する場合、もしくはキャリア数５以上を設定する場合に使用する。
【０１７１】
＜チャネル選択情報を示すフォーマット６＞
フォーマット６では、フォーマット２と同様に、2.16 GHzのビットマップを用いるが、4.32 GHzのビットマップの代わりに、Maximum bandwidthフィールドを追加する。図１７に、フォーマット６を示す。
【０１７２】
Maximum bandwidthフィールドには、該当するパケットが使用する最大のチャネル帯域幅を指定する。例えば、送信装置１００は最大8.64 GHz帯域幅の送信が可能であっても、該当するパケットで2.16 GHzと4.32 GHzのアグリゲーションを行う場合、Maximum bandwidthフィールドには、4.32 GHzを示す値１を設定する。
【０１７３】
2.16 GHz channel bitmapフィールドは、2.16 GHzから8.64 GHzまでの帯域幅のチャネルが占有している帯域に相当するチャネル番号に１を設定する。例えば、ch9を使用しているとき、ch1,ch2に対応するビット(2.16 GHz channel bitmapフィールドの下位２ビット)を１に設定する。
【０１７４】
送信装置１００は、ch1,ch2を使い2.16 GHz+2.16GHzのアグリゲーション送信を行う場合には、Maximum bandwidthフィールドに０を設定し、ch9を使い4.32 GHz帯域のチャネルボンディング送信を行う場合には、Maximum bandwidthフィールドに１を設定して送信する。また、ch9とch3のアグリゲーション送信を行う場合には、Maximum bandwidthフィールドに１を設定し、2.16 GHz channel bitmapフィールドの下位３ビット(ch1〜ch3に対応する)に１を設定して送信する。
【０１７５】
このように、送信装置１００は、フォーマット６を用いて送信することで、少ないビット数でチャネルの組み合わせを指定することができ、複数のチャネル帯域幅を含むチャネルアグリゲーションを行うことができるので、高速な伝送を実現することができる。
【０１７６】
また、フォーマット６では、2.16 GHz channel bitmapが帯域の使用状況を示すため、受信装置２００は、未知のチャネルの組み合わせを受信した場合であっても、どの帯域が使用されているかを知ることができる。
【０１７７】
＜送信装置３００と受信装置４００の説明＞
図１８は、チャネルアグリゲーションを行う送信装置の別の構成を示す。送信装置３００は、送信装置１００と同じ部分は同じ番号を付し説明を省略する。
【０１７８】
送信装置３００は、送信装置１００のペイロード分割部１０３と異なる機能を持つ、ペイロード分割部３０３を含み、ペイロードを符号化する前に、ペイロードデータを分割して、第１〜第４キャリアへ振り分ける。尚、ペイロード分割部３０３は、ペイロード分割を行う前に、CRC（誤り検出符号）の付加、ビットスクランブルを行ってもよい。
【０１７９】
ペイロード符号化部３０２ａ〜３０２ｄは、第１〜第４キャリアのペイロードデータのLDPC符号化を行う。なお、ペイロード符号化部３０２ａ〜３０２ｄは、第１〜第４キャリアのそれぞれに対して異なる符号化率のLDPC符号化を行ってもよい。また、ペイロード符号化部３０２ａ〜３０２ｄは、第１〜第４キャリアのそれぞれに対して異なるLDPC検査行列を用いてLDPC符号化を行ってもよい。
【０１８０】
変調部１０４ａ〜１０４ｄは、第１〜第４キャリアのペイロードデータの変調を行う。なお、変調部１０４ａ〜１０４ｄは、第１〜第４キャリアのそれぞれに対して異なる変調方式を用いても良い。データ変調方式として、π/2-BPSK、π/2-QPSK、π/2-16QAM、π/2-64QAMを用いても良い。データ変調後のシンボルをシングルキャリアで伝送してもよく、また、データ変調後のシンボルをOFDMで伝送しても良い。
【０１８１】
PHY/RF制御部３１０は、PHY制御データに基づき、ペイロード符号化部３０２ａ〜３０２ｄに対し、それぞれにおいて何れの符号化率のLDPC符号化を行うかを示す指示信号を出力する。また、変調部１０４ａ〜１０４ｄに対し、それぞれにおいて何れのデータ変調を行うかを示す指示信号を出力する。すなわち、PHY制御データは、キャリア毎に異なるMCS(Modulation and Coding Scheme)を含んでも良く、PHY/RF制御部３１０は、キャリア毎に異なるMCSを適用しても良い。
【０１８２】
ヘッダ符号化部１０１は、チャネル選択情報（フォーマット１から６のいずれか）に加え、キャリア毎のMCSの情報をヘッダ(L-Header又はE-Header)に含めてヘッダを符号化する。図２０Ａ、図２０Ｂ、図２１Ａ、図２１Ｂに、キャリア毎のMCSの情報をヘッダに含める方法を示す。(後述)
【０１８３】
図１９は、チャネルアグリゲーションを行う受信装置の別の構成を示す。受信装置４００は、受信装置２００と同じ部分は同じ番号を付し説明を省略する。
【０１８４】
受信装置４００は、受信装置２００と異なり、キャリア毎にペイロード復号部４０２ａ〜４０２ｄを備える。ペイロード復号部４０２ａ〜４０２ｄは、LDPC復号（誤り訂正）を行う。ペイロード復号部４０２ａ〜４０２ｄは、後述するPHY/RF制御部４１０の指示に従い、ペイロード復号部４０２ａ〜４０２ｄ毎に異なる符号化率及び異なる検査行列を用いてLDPC復号を行ってもよい。
【０１８５】
ペイロード結合部４０３は、キャリア毎にペイロード復号部４０２ａ〜４０２ｄが出力するデータを結合し、受信データを生成する。なお、ペイロード結合部４０３は、データのデスクランブル、及びCRCチェックを行ってもよい。
【０１８６】
PHY/RF制御部４１０は、ヘッダ復号部２０１が受信したPHYヘッダ情報、及びあらかじめMAC処理部から通知されたPHY制御データに基づき、キャリア毎の中心周波数、キャリア毎のチャネル帯域幅、キャリア毎のMCSを決定する。
【０１８７】
（シングルユーザ（SU：single user）伝送におけるＭＣＳ通知）
シングルユーザ伝送の場合、送信装置３００は、チャネル選択情報（フォーマット１から６のいずれか）に加え、図２０ＡのMCS選択情報をヘッダに含める。
【０１８８】
図２０Ａでは、ヘッダは８つのフィールド（Stream1 MCS〜Stream8 MCS）を持つ。キャリア数が１の場合（すなわち、キャリアアグリゲーションを行わない場合）送信装置３００は、第１キャリアのMCS番号（つまり、ペイロード符号化部３０２ａと変調部１０４ａが使用するMCS番号）をStream1 MCSフィールドに含める。第１キャリアでMIMO伝送を行う場合、Stream2 MCS〜Stream 8 MCSフィールドを用いて、最大８ストリームのMIMO伝送を行う。つまり、送信装置３００の第１キャリア部分であるペイロード符号化部３０２ａ、変調部１０４ａ、広帯域D/A１０５ａ、広帯域RF１０６ａ、アンテナ１０７ａをそれぞれ最大８多重化して、最大８ストリームのMIMO伝送を行ってよい。
【０１８９】
つまり、１つのチャネルに対して、最大８ストリームをＭＩＭＯ伝送するので、送信装置３００の構成は、図１８とは異なり、送信装置３００は、ペイロード符号化部３０２ａがペイロード符号化部３０２ａ１からペイロード符号化部３０２ａ８を含み、変調部１０４ａが、変調部１０４ａ１から変調部１０４ａ８を含み、広帯域D/A１０５ａが、広帯域D/A１０５ａ１から広帯域D/A１０５ａ８を含み、広帯域RF１０６ａが、広帯域RF１０６ａ１から広帯域RF１０６ａ８を含み、アンテナ１０７ａは、アンテナ１０７ａ１からアンテナ１０７ａ８を含む。例えば、ストリーム１は、ペイロード符号化部３０２ａ１、変調部１０４ａ１、広帯域D/A１０５ａ１、広帯域RF１０６ａ１、アンテナ１０７ａ１を介して、送信される。
【０１９０】
ペイロード符号化部３０２ａは、ペイロード符号化部３０２ａ１が用いるMCS番号をStream1 MCSフィールドに含め、ペイロード符号化部３０２ａ８が用いるMCS番号をStream8 MCSフィールドに含める。なお、ペイロード符号化部３０２ａ１からペイロード符号化部３０２ａ８が符号化したデータを、それぞれストリーム１からストリーム８と呼ぶ。
【０１９１】
また、広帯域RF１０６ａは、広帯域RF１０６ａ１から広帯域RF１０６ａ８はすべて共通のチャネル番号を用いる。つまり、第１キャリアは、１つのチャネルを用いて送信される。共通のチャネル番号は、前述のフォーマット１からフォーマット６のいずれかを用いて通知する。つまり、第１キャリアにおいてMIMO送信を行う場合は、ストリーム１から８は共通のチャネル（１つのチャネル）を用い、一方、ストリーム１から８は異なるMCSを用いてよい。
【０１９２】
つまり、キャリア数が１の場合、第１キャリアは、８系統の送信ブランチを用いて、最大８ストリームのMIMO伝送を行うことができる。
【０１９３】
キャリア数が２の場合、送信装置３００は、第１キャリアのMCS番号をStream1 MCSフィールドに含め、第２キャリアのMCS番号をStream5 MCSフィールドに含める。第１キャリアでMIMO伝送を行う場合、Stream1 MCS〜Stream 4 MCSフィールドを用いて、最大４ストリームのMIMO伝送を行う。また、第２キャリアでMIMO伝送を行う場合、Stream5 MCS〜Stream 8 MCSフィールドを用いて、最大４ストリームのMIMO伝送を行う。つまり、第１キャリアと第２キャリアをあわせて最大８ストリームの伝送を行う。
【０１９４】
つまり、キャリア数が２の場合、第１キャリアは４系統の送信ブランチ、第２キャリアは４系統の送信ブランチ、の合計８系統の送信ブランチを用いて、最大８ストリームのMIMO伝送を行うことができる。
【０１９５】
キャリア数が３の場合、送信装置３００は、第１キャリアのMCS番号をStream1 MCSフィールドに含め、第２キャリアのMCS番号をStream4 MCSフィールドに含め、第３キャリアのMCS番号をStream7 MCSフィールドに含める。第１キャリアでMIMO伝送を行う場合、Stream1 MCS〜Stream 3 MCSフィールドを用いて、最大３ストリームのMIMO伝送を行う。また、第２キャリアでMIMO伝送を行う場合、Stream4 MCS〜Stream 6 MCSフィールドを用いて、最大３ストリームのMIMO伝送を行う。また、第３キャリアでMIMO伝送を行う場合、Stream7 MCS〜Stream 8 MCSフィールドを用いて、最大２ストリームのMIMO伝送を行う。つまり、第１キャリア〜第３キャリアをあわせて最大８ストリームの伝送を行う。
【０１９６】
つまり、キャリア数が３の場合、第１キャリアは３系統の送信ブランチ、第２キャリアは３系統の送信ブランチ、第３キャリアは２系統の送信ブランチ、の合計８系統の送信ブランチを用いて、最大８ストリームのMIMO伝送を行うことができる。
【０１９７】
キャリア数が４の場合、同様に、送信装置３００は、第１キャリア〜第４キャリアのMCS番号をそれぞれStream1 MCS、Stream3 MCS、Stream5 MCS、Stream 7フィールドに含める。また同様に、第１キャリア〜第４キャリアをあわせて最大８ストリームの伝送を行う。
【０１９８】
つまり、キャリア数が４の場合、第１キャリアは２系統の送信ブランチ、第２キャリアは２系統の送信ブランチ、第３キャリアは２系統の送信ブランチ、第４キャリアは２系統の送信ブランチ、の合計8系統の送信ブランチを用いて、最大８ストリームのMIMO伝送を行うことができる。
【０１９９】
なお、図２０Ａの代わりに、図２０Ｂのフォーマットを用いても良い。図２０Ｂでは、使用するフィールド番号を、以下のように、数式で算出することができる。
(Field No.) = (carrier No.) + (The number of carriers) × (stream No. - 1)
【０２００】
例えば、キャリア番号２、キャリア数３、ストリーム番号３の場合、フィールド番号は８である。したがって、Stream8 MCSフィールドを用いて、該当のストリームのMCSを通知する。
【０２０１】
このように、送信装置３００は、図２０Ａ、図２０Ｂのヘッダフォーマットを用いて、キャリア毎に異なるMCSを指定できるようにしたので、伝送レートを高めることができる。
【０２０２】
また、送信装置３００は、図２０Ａ、図２０Ｂのヘッダフォーマットを用いて、キャリア数に関わらずMIMOストリーム数の合計の最大数をあらかじめ定められた値（例えば8）であるようにしたので、キャリアアグリゲーションを行うためのMCS情報を通知するフィールドを追加しなくてもよい。したがって、ヘッダに要するビット数を削減することができ、伝送レートを高めることができる。
【０２０３】
（マルチユーザ（ＭＵ：multi user）伝送のＭＣＳ通知）
送信装置３００は、１つのチャネルアグリゲーションパケットを、複数のユーザ宛に送信してもよい。すなわち、マルチユーザ伝送を行ってもよい。つまり、キャリア毎にユーザ変更してもよいし、キャリア内でもストリーム毎にユーザ変更してもよい。
【０２０４】
マルチユーザ伝送の場合、チャネル選択情報（フォーマット１から６のいずれか）に加え、図２１Ａに示すフィールドをヘッダ(E-Header)に含める。
【０２０５】
図２１Ａでは、ヘッダは８つのフィールド(Stream1 Address〜Stream8 Address)を持つ。
【０２０６】
キャリア数が２の場合、送信装置３００は、第１キャリアの宛先アドレスをStream1 Addressフィールドに含め、第２キャリアの宛先アドレスをStream5 Addressフィールドに含める。宛先アドレスは、AID(Association ID)であってもよく、また、MACアドレスまたはMACアドレスの一部であっても良い。また、MACアドレスから算出したハッシュ値であっても良い。第１キャリアでMU-MIMO(マルチユーザMIMO)伝送を行う場合、Stream1 Address〜Stream 4 Addressフィールドを用いて、最大４ストリームのMIMO伝送を行う。また、第２キャリアでMU-MIMO伝送を行う場合、Stream5 Address〜Stream 8 Addressフィールドを用いて、最大４ストリームのMIMO伝送を行う。つまり、第１キャリアと第２キャリアをあわせて最大８ユーザ宛のマルチユーザ伝送を行う。
【０２０７】
キャリア数が３、４の場合も同様に、キャリア毎のアドレスをStream1 AddressフィールドからStream8 Addressフィールドまでのいずれかを用いて通知する。また、MU-MIMO伝送を行う場合には、全てのキャリアを合わせて最大８ユーザ宛のマルチユーザ伝送を行う。
【０２０８】
キャリア数が１の場合、MU-MIMO伝送を行う場合、図２１Ａのフォーマットを用いる。Stream1 AddressフィールドからStream8 Addressフィールドまでを用いて、第１キャリアで、最大８ストリームのMIMO伝送を行う。なお、図２１Ａの代わりに、図２１Ｂのフォーマットを用いても良い。
【０２０９】
このように、送信装置３００は、図２１Ａ、図２１Ｂのヘッダフォーマットを用いて、キャリア毎に異なるアドレスを指定できるようにしたので、チャネルアグリゲーションパケットを用いてマルチユーザ伝送行い、複数ユーザが存在する場合の伝送レートを高めることができる。
【０２１０】
また、送信装置３００は、図２１Ａ、図２１Ｂのヘッダフォーマットを用いて、キャリア数に関わらず宛先ユーザ数の合計の最大数をあらかじめ定められた値（例えば８）であるようにしたので、チャネルアグリゲーションにおいてマルチユーザ伝送を行うためのアドレス情報を通知するフィールドを追加しなくてもよい。したがって、ヘッダに要するビット数を削減することができ、伝送レートを高めることができる。
【０２１１】
（他の実施の形態）
上記実施の形態では、本開示の一態様をハードウェアで構成する場合を例にとって説明したが、本開示はハードウェアとの連携においてソフトウェアで実現することも可能である。
【０２１２】
また、上記実施の形態の説明に用いた各機能ブロックは、典型的には入力端子、出力端子を有する集積回路であるＬＳＩとして実現される。集積回路は、上記実施の形態の説明に用いた各機能ブロックを制御し、入力と出力を備えてもよい。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２１３】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２１４】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０２１５】
本開示の一態様は、ミリ波通信を用いた通信装置に用いるに好適である。
【符号の説明】
【０２１６】
１００、３００  送信装置
１０１  ヘッダ符号化部
１０２、３０２  ペイロード符号化部
１０３  ペイロードデータ分割部
１０４  変調部
１０５  広帯域D/A
１０６、２０６  広帯域RF
１０７、２０７  アンテナ
１１０、２１０  RF制御部
２００、４００  受信装置
２０１  ヘッダ復号部
２０２、４０２  ペイロード復号部
２０４  復調部
２０５  広帯域A/D
２０８  同期部
３０３  ペイロードデータ分割部
３１０、４１０  PHY/RF制御部
４０３  ペイロード結合部
【図１】
0006989296.tif 000002
【図２】
0006989296.tif 000003
【図３】
0006989296.tif 000004
【図４】
0006989296.tif 000005
【図５Ａ】
0006989296.tif 000006
【図５Ｂ】
0006989296.tif 000007
【図５Ｃ】
0006989296.tif 000008
【図５Ｄ】
0006989296.tif 000009
【図６Ａ】
0006989296.tif 000010
【図６Ｂ】
0006989296.tif 000011
【図６Ｃ】
0006989296.tif 000012
【図６Ｄ】
0006989296.tif 000013
【図７Ａ】
0006989296.tif 000014
【図７Ｂ】
0006989296.tif 000015
【図８】
0006989296.tif 000016
【図９】
0006989296.tif 000017
【図１０Ａ】
0006989296.tif 000018
【図１０Ｂ】
0006989296.tif 000019
【図１１Ａ】
0006989296.tif 000020
【図１１Ｂ】
0006989296.tif 000021
【図１２】
0006989296.tif 000022
【図１３Ａ】
0006989296.tif 000023
【図１３Ｂ】
0006989296.tif 000024
【図１４】
0006989296.tif 000025
【図１５Ａ】
0006989296.tif 000026
【図１５Ｂ】
0006989296.tif 000027
【図１６】
0006989296.tif 000028
【図１７】
0006989296.tif 000029
【図１８】
0006989296.tif 000030
【図１９】
0006989296.tif 000031
【図２０Ａ】
0006989296.tif 000032
【図２０Ｂ】
0006989296.tif 000033
【図２１Ａ】
0006989296.tif 000034
【図２１Ｂ】
0006989296.tif 000035